(57)【要約】【課題】各コンテンツの再生方法に応じて、詳細に画質調整できる映像表示装置を提供する。【解決手段】映像表示装置１０は、複数の録画倍率のいずれか１つに従って、コンテンツの映像信号を録画し、録画倍率を検出する録画倍率検出部３９と、映像信号の再生のビットレートを検出するビットレート検出部４０と、検出した録画倍率とビットレートとの両方に応じて、映像信号を映像処理する映像信号処理部４１と、映像信号処理部４１が処理した映像信号を再生して画面に表示する表示制御部２１とを備えている。【選択図】図１
2011130365.tif 000002
【特許請求の範囲】
【請求項１】
複数の録画倍率のいずれか１つに従って、コンテンツの映像信号を録画する映像表示装置であって、
上記録画倍率を検出する録画倍率検出手段と、
上記映像信号の再生のビットレートを検出するビットレート検出手段と、
上記検出した録画倍率とビットレートとの両方に応じて、上記映像信号を映像処理する映像信号処理手段と、
上記映像信号処理手段が処理した映像信号を再生して画面に表示する表示手段とを備えていることを特徴とする映像表示装置。
【請求項２】
上記録画倍率の設定を受け付ける録画倍率入力手段をさらに備えていることを特徴とする請求項１に記載の映像表示装置。
【請求項３】
上記映像信号処理手段は、同一のコンテンツの映像信号に対して、通常の上記録画倍率に従った映像処理と、通常の上記録画倍率とは異なる録画倍率に従った映像処理とをし、
上記表示手段は、上記映像信号処理手段が映像処理した複数の上記映像信号を再生し、同一の画面上に表示することを特徴とする請求項１または２に記載の映像表示装置。
【請求項４】
上記映像信号処理手段は、上記映像処理として、ノイズリダクション処理、エッジ強調、または階調スムージング処理をすることを特徴とする請求項１から３のいずれか１項に記載の映像表示装置。
【請求項５】
コンテンツの映像信号を録画する記録再生手段と、
上記記録再生手段が録画した記録メディアの種別を検出する記録メディア検出手段とをさらに備えており、
上記映像信号処理手段は、上記記録メディア検出手段が検出した記録メディアの種別に応じて、上記映像信号を映像処理することを特徴とする請求項１から４のいずれか１項に記載の映像表示装置。
【請求項６】
上記記録再生手段は、光ディスク、磁気ディスク、光磁気ディスク、または半導体メモリである記録メディアに記録されているコンテンツの映像信号を録画し、
上記記録メディア検出手段は、光ディスク、磁気ディスク、光磁気ディスク、または半導体メモリである記録メディアの種別を検出することを特徴とする請求項５に記載の映像表示装置。
【請求項７】
上記記録再生手段は、上記映像表示装置に内蔵されていることを特徴とする請求項５または６に記載の映像表示装置。
【請求項８】
再生するコンテンツのジャンルを検出するジャンル検出手段をさらに備えており、
上記映像信号処理手段は、上記ジャンル検出手段が検出したジャンルに応じて、上記映像信号を映像処理することを特徴とする請求項１から７のいずれか１項に記載の映像表示装置。
【請求項９】
複数の録画倍率のいずれか１つに従って、コンテンツの映像信号を録画して再生する映像表示方法であって、
上記録画倍率を検出する録画倍率検出工程と、
上記映像信号の再生のビットレートを検出するビットレート検出工程と、
上記検出した録画倍率とビットレートとの両方に応じて、上記映像信号を映像処理する映像信号処理工程と、
上記映像信号処理工程において処理した映像信号を再生して画面に表示する表示工程とを含んでいることを特徴とする映像表示方法。
【請求項１０】
請求項１から８のいずれか１項に記載の映像表示装置を備えたテレビ受像機。
【請求項１１】
請求項１から８のいずれか１項に記載の映像表示装置を動作させるプログラムであって、コンピュータを前期の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、再生コンテンツに含まれる情報に応じた映像処理をする映像表示装置、映像表示方法、テレビ受像機、プログラム、および記録媒体に関する。
【背景技術】
【０００２】
近年、再生コンテンツを再生する装置の多機能化／大画面化が進んでいる。このような装置において、高画質の映像を見たいという要望が視聴者の間に高まっている。このような状況において、再生コンテンツに含まれる情報に応じた映像処理をする装置が提案されている。
【０００３】
特許文献１には、再生する映像信号の録画モードを検出し、検出した録画モードに応じて当該映像信号に最適な再生処理をすることによって、高画質の映像を再生する技術が開示されている。
【０００４】
特許文献２には、現在テレビ放送されている番組に対するトピックおよびテーマ情報の特性を判定し、当該トピックおよびテーマと適合する、予め設定されているコントラストおよび色についての設定値に変更する技術が開示されている。
【先行技術文献】
【特許文献】
【０００５】
【特許文献１】特開２００４−２４８２０８号公報（公開日：２００４年９月２日）
【特許文献２】特表２００１−５１５６７５号公報（公表日：２００１年９月１８日）
【発明の概要】
【発明が解決しようとする課題】
【０００６】
しかし、上述した従来技術には次のような問題がある。
【０００７】
特許文献１の技術では、録画モードの種別（高画質モード、標準モード、長時間モードのいずれか）を検出し、検出した録画モードに応じて映像信号を処理することによって、コアリングおよびシャープネスなどにおける画質補正をする。しかしながら、再生のビットレートに応じて画質を補正することはできない。このため、画質を詳細に補正することはできない。また、録画モードに応じて、自動的に映像信号を処理するため、ユーザは再生コンテンツに対して所望の画質補正をすることはできない。
【０００８】
特許文献２の技術では、コントラストおよび色などの設定値を、番組に対するトピックおよびテーマと適合する値に自動的に変更する。また、視聴者は設定値を好みに応じて手動設定することができる。しかしながら、番組各々に対して、所望の設定値に変更することはできない。すなわち、あくまでも、各番組は、番組のトピックおよびテーマと適合する設定値に変更される。また、再生のビットレートに応じて設定値を補正することはできない。
【０００９】
本発明は、上記の問題点に鑑みてなされたものであり、その目的は、各コンテンツの再生方法に応じて、詳細に画質調整できる映像表示装置、映像表示方法、テレビ受像機、プログラム、および記録媒体を提供することにある。
【課題を解決するための手段】
【００１０】
上記課題を解決するために、本発明に係る映像表示装置は、複数の録画倍率のいずれか１つに従って、コンテンツの映像信号を録画する映像表示装置であって、上記録画倍率を検出する録画倍率検出手段と、上記映像信号の再生のビットレートを検出するビットレート検出手段と、上記検出した録画倍率とビットレートとの両方に応じて、上記映像信号を映像処理する映像信号処理手段と、上記映像信号処理手段が処理した映像信号を再生して画面に表示する表示手段とを備えていることを特徴としている。
【００１１】
上記の構成によれば、本発明の映像表示装置は、コンテンツの録画倍率と、再生のビットレートとを検出する。そして、検出した録画倍率とビットレートとの両方に応じて、映像信号を映像処理する。すなわち、録画倍率に応じた大まかな映像処理に加えて、ビットレートに応じた細かな映像処理を実現できる。したがって、各コンテンツの再生方法に応じた映像処理により、詳細に画質調整できるという効果を奏する。
【００１２】
上記課題を解決するために、本発明に係る映像表示方法は、複数の録画倍率のいずれか１つに従って、コンテンツの映像信号を録画して再生する映像表示方法であって、上記録画倍率を検出する録画倍率検出工程と、上記映像信号の再生のビットレートを検出するビットレート検出工程と、上記検出した録画倍率とビットレートとの両方に応じて、上記映像信号を映像処理する映像信号処理工程と、上記映像信号処理工程において処理した映像信号を再生して画面に表示する表示工程とを含んでいることを特徴とする。
【００１３】
上記の構成によれば、本発明に係る映像表示装置と同様の作用効果を奏する。
【００１４】
本発明に係る映像表示装置は、上記録画倍率の設定を受け付ける録画倍率入力手段をさらに備えていることが好ましい。
【００１５】
上記の構成によれば、ユーザは、録画倍率入力手段を通じて録画倍率を設定できる。映像信号は、録画倍率に応じて映像処理される。このため、ユーザは、録画倍率を設定することにより、映像処理すなわち画質調整できるという更なる効果を奏する。
【００１６】
本発明に係る映像表示装置における上記映像信号処理手段は、同一のコンテンツの映像信号に対して、通常の上記録画倍率に従った映像処理と、通常の上記録画倍率とは異なる録画倍率に従った映像処理とをし、上記表示手段は、上記映像信号処理手段が映像処理した複数の上記映像信号を再生し、同一の画面上に表示すること好ましい。
【００１７】
上記の構成によれば、映像信号処理手段は、同一のコンテンツの映像信号に対して、通常の録画倍率に従った映像処理と、通常の録画倍率とは異なる録画倍率に従った映像処理とをする。そして、表示手段は、処理された複数の映像信号を再生し、同一の画面上に表示する。これにより、ユーザは、通常の録画倍率と、異なる録画倍率例えば所望の録画倍率とにおいて映像処理された映像信号を再生した映像を比較できる。そして、所望の録画倍率の映像における画質を調整できるという更なる効果を奏する。
【００１８】
本発明に係る映像表示装置における上記映像信号処理手段は、上記映像処理として、ノイズリダクション処理、エッジ強調、または階調スムージング処理をすることが好ましい。
【００１９】
上記の構成によれば、上記映像信号処理手段は、上記映像処理として、ノイズリダクション処理、エッジ強調、または階調スムージング処理をする。したがって、映像表示装置は、適切に映像処理できるという更なる効果を奏する。
【００２０】
本発明に係る映像表示装置は、コンテンツの映像信号を録画する記録再生手段と、上記記録再生手段が録画した記録メディアの種別を検出する記録メディア検出手段とをさらに備えており、上記映像信号処理手段は、上記記録メディア検出手段が検出した記録メディアの種別に応じて、上記映像信号を映像処理することが好ましい。
【００２１】
上記の構成によれば、映像表示装置は、コンテンツの映像信号を録画し、録画した記録メディアの種別を検出する。そして、検出した記録メディアの種別に応じて、映像信号を映像処理する。したがって、映像表示装置は、記録メディアの種別に応じた適切な映像処理を実現できるという更なる効果を奏する。
【００２２】
本発明に係る映像表示装置における上記記録再生手段は、光ディスク、磁気ディスク、光磁気ディスク、または半導体メモリである記録メディアに記録されているコンテンツの映像信号を録画し、上記記録メディア検出手段は、光ディスク、磁気ディスク、光磁気ディスク、または半導体メモリである記録メディアの種別を検出することが好ましい。
【００２３】
上記の構成によれば、映像表示装置は、光ディスク、磁気ディスク、光磁気ディスク、または半導体メモリである記録メディアに記録されているコンテンツの映像信号を録画し、録画した記録メディアを検出する。したがって、種々の記録メディアに対応する映像表示装置を実現できるという更なる効果を奏する。
【００２４】
本発明に係る映像表示装置における上記記録再生手段は、上記映像表示装置に内蔵されていることが好ましい。
【００２５】
上記の構成によれば、記録再生手段は映像表示装置に内蔵されている。したがって、記録再生手段が映像表示装置に外付けされている装置と比較して、映像処理を迅速に実現できるという更なる効果を奏する。
【００２６】
本発明に係る映像表示装置は、再生するコンテンツのジャンルを検出するジャンル検出手段をさらに備えており、上記映像信号処理手段は、上記ジャンル検出手段が検出したジャンルに応じて、上記映像信号を映像処理することが好ましい。
【００２７】
上記の構成によれば、映像表示装置は、再生するコンテンツのジャンルを検出する。そして、検出したジャンルに応じて、映像信号を映像処理する。例えば、コンテンツのジャンルが、画質を落として録画する「ニュース」等の場合に、ノイズリダクションを強くする。したがって、映像表示装置は、コンテンツのジャンルに応じた適切な映像処理を実現できるという更なる効果を奏する。
【００２８】
なお、上記映像表示装置を備えたテレビ受像機も本発明の範疇に含まれる。
【００２９】
また、上記映像表示装置は、コンピュータによって実現してもよい。この場合、コンピュータを上記各手段として動作させることにより上記映像表示装置をコンピュータにおいて実現するプログラム、およびそのプログラムを記録したコンピュータ読み取り可能な記録媒体も、本発明の範疇に入る。
【発明の効果】
【００３０】
以上のように、本発明に係る映像表示装置は、複数の録画倍率のいずれか１つに従って、コンテンツの映像信号を録画する映像表示装置であって、上記録画倍率を検出する録画倍率検出手段と、上記映像信号の再生のビットレートを検出するビットレート検出手段と、上記検出した録画倍率とビットレートとの両方に応じて、上記映像信号を映像処理する映像信号処理手段と、上記映像信号処理手段が処理した映像信号を再生して画面に表示する表示手段とを備えている。したがって、映像表示装置は、各コンテンツの再生方法に応じて、詳細に画質調整できる。
【００３１】
また、本発明に係る映像表示方法は、複数の録画倍率のいずれか１つに従って、コンテンツの映像信号を録画して再生する映像表示方法であって、上記録画倍率を検出する録画倍率検出工程と、上記映像信号の再生のビットレートを検出するビットレート検出工程と、
上記検出した録画倍率とビットレートとの両方に応じて、上記映像信号を映像処理する映像信号処理工程と、上記映像信号処理工程において処理した映像信号を再生して画面に表示する表示工程とを含んでいる。したがって、映像表示方法は、各コンテンツの再生方法に応じて、詳細に画質調整できる。
【図面の簡単な説明】
【００３２】
【図１】本発明に係る映像表示装置の映像処理部を示すブロック図である。
【図２】本発明に係る映像表示装置の構成を示すブロック図である。
【図３】本発明に係る映像表示装置の映像処理の一例を説明する図である。
【図４】本発明に係る映像表示装置の映像処理の他の例を説明する図である。
【発明を実施するための形態】
【００３３】
本発明に係る映像表示装置１０の一実施形態について、図１〜図４を参照して以下に説明する。
【００３４】
（映像表示装置１０の構成）
図２は、映像表示装置１０の全体を示すブロック図である。映像表示装置１０は、例えば、画面サイズ１６：９（１９２０×１０１０ドット）の液晶表示装置２２を有する。この映像表示装置１０は、バス８に接続されたＣＰＵ６、メモリ７を有しており、この映像表示装置１０の動作は、ＣＰＵ６およびメモリ７に記憶された各種の制御プログラムにより制御される。すなわち、この図２に示された映像表示装置１０では、ＣＰＵ６を含むコンピュータ・システムによって制御されており、映像表示装置１０をコンピュータ・システムによって動作させるためのプログラムはメモリ７に記憶されている。なお、画面サイズがアスペクト比１６：９の液晶表示装置２２に限定されるものではないことは明らかである。
【００３５】
メモリ７は、通常、ＲＡＭによって構成されるが、一部にＲＯＭを含んでいても良い。また、書き換え可能なフラッシュメモリ等を含んでいても良い。メモリ７には、ＣＰＵ６を動作させるためのＯＳまたは各種の制御ソフト等が記憶され、放送波を介して受信したＥＰＧデータ等の番組情報に関するデータ、ＯＳＤ表示を行う際に必要となるＯＳＤ用画像データ等が記憶されている。また、メモリ７は、各種制御動作に必要なワークメモリとして働くワーク領域を有している。
【００３６】
映像表示装置１０には、デジタルチューナー部１４の他に、アナログチューナー部１２が設けられており、アナログ放送も受信可能である。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、さらに、映像表示装置１０の本体内にもＢＤ／ＤＶＤ／ＣＤの記録／再生部３２が内蔵されている。さらに、ＩＰ放送チューナー部２３が備えられており、ＩＰ放送の受信も可能とされている。
【００３７】
映像表示装置１０は、この他、ＡＶスイッチ部１３、デジタル復調部１５、分離部（ＤＭＵＸ）１６、ビデオデコード／キャプチャ部１７、ビデオセレクタ部１８、映像処理部１９、加算回路２０、表示制御部２１、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５、および録画倍率入力部３７を有している。映像表示装置１０には、さらに、周囲の明るさを検出するためのＯＰＣ（光）センサー３８が設けられている。
【００３８】
アナログチューナー部１２は、アナログ放送受信用のアンテナ１１を介して受信するアナログテレビ放送信号を選局するもので、選局部３３からの選局指示に応じて選局を行う。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００３９】
デジタルチューナー部１４は、デジタル放送受信用アンテナ１３を介して受信するデジタルテレビ放送信号を選局するもので、選局部３３からの選局指示に応じて受信するチャンネルの選局を行う。デジタルチューナー部１４からの受信信号は、デジタル復調部１５にて復調され、分離部（ＤＭＵＸ）１６に送られる。
【００４０】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００４１】
分離部（ＤＭＵＸ）１６は、デジタル復調部１５またはＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００４２】
ビデオデコード／キャプチャ部１７は、分離部（ＤＭＵＸ）１６によって分離された映像データをデコードしたり、映像データに含まれるビデオ情報を静止画としてキャプチャしたりする。ビデオデコード／キャプチャ部１７によってデコードされた映像信号は、ビデオセレクタ部１８に送られる。ビデオセレクタ部１８には、すでに説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００４３】
映像処理部１９では、入力された映像信号に対して、例えば、ノイズリダクションの処理、シャープネスの調整、コントラストの調整等の映像処理を行い、液晶表示装置２２に対して最適な映像信号となるように映像データを変換する。また、映像処理部１９は、録画倍率およびビットレートに応じて映像処理を行う。なお、映像処理部１９における録画倍率およびビットレートに応じた映像処理の詳細は後述する。
【００４４】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、或いは、ＯＳＤ（オン・スクリーン・ディスプレイ）データを、映像処理部１９からの映像データに加えて液晶表示装置２２に送る。液晶表示装置２２では、送られてきた映像データを画面上に表示する。
【００４５】
オーディオデコード部２５は、分離部（ＤＭＵＸ）１６によって分離された音声データをデコードするものである。オーディオデコード部２５は、デコードした音声信号をオーディオセレクタ部２６に送る。
【００４６】
オーディオセレクタ部２６では、ＡＶスイッチ部１３からの音声信号、外部入力部３１からの音声信号、および、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００４７】
リモコン受光部３５は、リモートコントローラ３６（以下リモコン３６という）からの光信号を受信して、リモコン３６からの制御信号を受け付けるためのものである。
【００４８】
ＥＰＧ／ＯＳＤ／予約処理部２４は、定期的に更新保存されたＥＰＧデータに基づき電子番組表を作成し、また、メモリ７に予め保存されているＯＳＤデータを描画する。上記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、上記の電子番組表を利用して番組の予約処理等を行う。
【００４９】
通信制御部３４は、電話回線、ＬＡＮ、インターネット等のネットワーク網を介して通信を確立させるように制御を行う。
【００５０】
次に、上述した映像処理部１９による、録画倍率およびビットレートに応じた映像処理の目的について説明する。映像処理部１９は、ＢＤ／ＤＶＤ／ＨＤ−ＤＶＤといった記録メディアを記録および再生する記録／再生部３２に録画された再生コンテンツの録画倍率およびビットレートに応じた最適な映像処理をする。なお、本実施形態においては、記録メディアが、ＢＤ／ＤＶＤ／ＨＤ−ＤＶＤといった光ディスクであるとして説明するが、本発明は、記録メディアが磁気ディスクであるＨＤＤ（ハードディスク）またはＦＤ（フロッピーディスク）としても実現可能である。また、光磁気ディスクであるＭＤ（ミニディスク）としても実現可能である。さらに、フラッシュメモリといった半導体メモリでも実現可能である。
【００５１】
再生コンテンツの録画においては、通常、録画倍率が大きくなるほど、より多くのコンテンツを録画できるが画質は悪くなる。例えば、ブロックノイズまたはＭＰＥＧノイズが発生しやすくなる。映像表示装置１０においては、映像処理部１９において録画倍率に応じた映像処理をすることによって、このようなノイズを抑えて、より高画質な映像を表示できる。
【００５２】
次に、映像処理部１９による映像処理の詳細について図１を参照して説明する。その前にまず、記録／再生部３２は、ＢＤ／ＤＶＤ／ＣＤなどから取得したコンテンツを、ユーザが録画倍率入力部３７を通じて設定した録画倍率において録画する。この入力において、ユーザは、ＤＲ（ダイレクトレコーディング）、２倍、３倍、５倍、または７倍といった録画倍率から設定できる。ここでは、録画倍率を５倍として再生コンテンツを録画する。
【００５３】
次に、録画された再生コンテンツの映像信号は、ＵＡＲＴ（ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）の通信方式、またはＨＤＭＩ−ＣＥＣ（Ｈｉｇｈ  Ｄｅｆｉｎｉｔｉｏｎ  Ｍｕｌｔｉｍｅｄｉａｌｎｔｅｒｆａｃｅ−Ｃｏｎｓｕｍｅｒ  Ｅｌｅｃｔｒｏｎｉｃｓ  Ｃｏｎｔｒｏｌ）規格にしたがった通信により、外部入力部３１およびビデオセレクタ部１８を介して、映像処理部１９に出力される。
【００５４】
映像処理部１９は、図１に示すように、録画倍率検出部３９、ビットレート検出部４０、映像信号処理部４１、メディア検出部４２、およびジャンル検出部４３を備えている。なお、メディア検出部４２、およびジャンル検出部４３の処理の詳細については後述する。録画倍率検出部３９は、入力された映像信号がどの録画倍率で録画されたかの情報を検出し、映像信号処理部４１に送信する。ビットレート検出部４０は、入力された映像信号における再生のビットレートの情報を検出し、映像信号処理部４１に送信する。
【００５５】
そして、映像信号処理部４１は、受信した録画倍率およびビットレートの情報に基づいて、映像信号を映像処理する。録画倍率に応じて大まかな映像処理を行い、さらに時系列に可変するビットレートに応じて詳細な映像処理をする。この映像処理において、ノイズリダクション、エンハンス（エッジ強調）、または階調スムージングなどの画質パラメータを調整する。また、映像信号処理部４１は、録画倍率およびビットレートに応じて、シャープネスの調整、またはコントラストの調整等を行ってもよい。この映像処理において、映像信号処理部４１は、例えばエンハンスを上げることによってブロックノイズを強調できる。
【００５６】
このように、映像信号処理部４１は、録画倍率およびビットレートに応じて映像信号を映像処理する。映像表示装置１０は、この映像処理により、ノイズを抑えてより高画質な映像を表示できる。また、この録画倍率はユーザが任意に設定できるため、ユーザは、所望の録画倍率を設定することによって、再生コンテンツに対して所望の映像処理を実現することができる。
【００５７】
また、映像処理部１９は、録画倍率に加えて時系列に可変する再生のビットレートに応じて映像処理をする。これにより、録画倍率に応じた映像処理に加えて、より詳細に映像処理をすることができる。
【００５８】
また、映像表示装置１０は、記録／再生部３２を映像表示装置１０に内蔵している。このため、記録／再生部３２が映像表示装置１０の外部に取り付けられている映像表示装置よりも、上述した録画倍率およびビットレートに応じた映像処理を短時間で実現することができる。また、同一の映像表示装置１０において録画して再生する自己録再生したディスクを用いることにより、映像信号から録画倍率をより短時間で検出することができる。したがって、映像処理全体を短時間で実現することができる。
【００５９】
さらに、ユーザは、二分割した画面上において、オリジナル映像（ＤＲ）と、任意の録画倍率に応じて映像処理をしたシミュレーション映像とを見比べながら、映像処理における各種の上述した画質パラメータを設定できる。これを以下に説明する。まず、記録／再生部３２は、ユーザの選択に基づいて、録画対象となるコンテンツの映像信号をデジタルチューナー部１４等から取得する。記録／再生部３２は、この映像信号を上述したように映像処理部１９に送る。
【００６０】
映像処理部１９の映像信号処理部４１は、この映像信号のオリジナル映像信号すなわち通常の倍率における映像信号と、ユーザが設定した５倍の録画倍率に応じた映像処理をシミュレーションした映像信号とを、上述したように映像データとして液晶表示装置２２に出力する。液晶表示装置２２は、５倍の録画倍率に応じて映像処理された映像信号を再生したシミュレーション映像と、オリジナル映像信号を再生した映像とを、二分割した画面上において、同一のタイミングおよび同一のスピードにおいて再生する。
【００６１】
ユーザは、この２つの映像を見比べながら、５倍のシミュレーション映像における映像処理の各種の画質パラメータを設定できる。これにより、ユーザは、５倍の録画倍率に応じて映像処理された映像におけるノイズが許容できる範囲になるように、ノイズリダクション等の各種の画質パラメータを設定できる。したがって、ユーザは、許容できる範囲の映像の質を保ちつつ、より多くのコンテンツを録画できる録画倍率を設定できる。なお、記録／再生部３２は映像表示装置１０に内蔵されているため、比較的短時間でこの処理を実現することができる。このユーザの設定により、５倍の録画倍率に応じたノイズリダクション等の各種の画質パラメータの値が変更され、以後５倍の録画倍率に応じた各種の画質パラメータはこの値となる。なお、この機能は、再生したコンテンツを補正する機能であるため、ＢＤ／ＤＶＤ／ＨＤＤといった記録メディア自体には、通常の録画倍率に応じた映像すなわちオリジナル映像が録画されている。
【００６２】
また、映像信号処理部４１は、記録メディアの種別に応じた映像処理をしてもよい。具体的には、まず、映像処理部１９のメディア検出部４２は、映像信号から取得したＢＤ、ＤＶＤ、ＣＤ−Ｒ、またはＨＤＤといった記録メディアのうちのどの記録メディアにおいて録画されたかを検出する。次に、映像信号処理部４１は、検出した記録メディアに応じて、エンハンサーおよびノイズリダクション等の画質パラメータの値を調整する。
【００６３】
また、映像信号処理部４１は、再生コンテンツのジャンルに応じた映像処理をしてもよい。これを図３および図４を参照して説明する。
【００６４】
まず、記録／再生部３２は、図３に示すように、「ニュース」、「映画」、「ドラマ」、「アニメ」、「バラエティ」等のジャンルごとに録画モードを定めている。これにより例えば、記録／再生部３２は、ジャンルが「ニュース」である場合には、長時間録画モードであるＥＰモードにおいて録画する。なお、記録／再生部３２は、相対的に最も低画質かつデータ量が少ないモードであるＥＰモードの他に、相対的に最も高画質でデータ量が多い高画質録画モードであるＸＰモード、ＸＰモードに対して低画質でデータ量が少ない標準画質録画モードであるＳＰモードを定めている。ノイズの発生は、ＸＰモードでは少ないが、ＥＰモードでは多くなる。
【００６５】
映像処理部１９のジャンル検出部４３は、このコンテンツのジャンルの情報を検出する。そして、映像信号処理部４１は、検出したジャンルによって定められている録画モードすなわちＥＰモード、ＸＰモード、またはＳＰモードのいずれかに応じた画質パラメータに設定する。例えば、ＸＰモードではノイズが少ないため、ノイズリダクションを弱くすることによって、映像本来のみずみずしさまたは奥行き感を引き出す。
【００６６】
一方、ＥＰモードでは、ノイズが多いため、ノイズリダクションを強くすることによって、ブロックノイズ等を除去する。なお、同一の録画モードであっても、画面上の動きの大小に応じて、ノイズリダクションの強弱を調整するようにしてもよい。例えば、画面上の動きが少ないシーンの場合は、ノイズが比較的少ないため、ノイズリダクションを弱くするようにしてもよい。なお、ユーザは、録画倍率入力部３７を通じて、このジャンルによって定められている録画モードを変更できる。また、映像信号処理部４１は、ＰＳ３等のモデル名を取得し、接続機器の種別に応じて画質パラメータを変更してもよい。
【００６７】
また、映像信号処理部４１は、図４に示すように、記録メディアの種別と、再生コンテンツのジャンルとの両方に応じた映像処理すなわち画質パラメータの設定をしてもよい。例えば、記録／再生部３２は、図４（ａ）に示すように、記録メディアが「ＨＤＤ」であり、かつジャンルが「ニュース」である場合に、ＥＰモードにおいて録画する。また、図４（ｂ）に示すように、記録メディアが「ＤＶＤ」であり、かつジャンルが「ドラマ」である場合に、ＳＰモードにおいて録画する。また、図４（ｃ）に示すように、記録メディアが「ＢＤ」であり、かつジャンルが「スポーツ」である場合に、ＸＰモードにおいて録画する。
【００６８】
ジャンル検出部４３は、コンテンツのジャンルの情報と、記録メディアの種別との情報を検出し、検出した情報によって定めれている録画モードに応じて、上述したように、画質パラメータを変更してもよい。
【００６９】
以上のように、映像表示装置１０は、再生する記録メディアおよび再生コンテンツのジャンルに応じて、画質パラメータを設定することができる。
【００７０】
（プログラムおよび記録媒体）
最後に、映像表示装置１０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００７１】
すなわち映像表示装置１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００７２】
この記録媒体は、上述した機能を実現するソフトウェアである映像表示装置１０のプログラムのプログラムコード（実行形式プログラム、中間コードプログラム、ソースプログラム）をコンピュータで読み取り可能に記録していればよい。映像表示装置１０に、この記録媒体を供給する。これにより、コンピュータとしての映像表示装置１０（またはＣＰＵやＭＰＵ）が、供給された記録媒体に記録されているプログラムコードを読み出し、実行すればよい。
【００７３】
プログラムコードを映像表示装置１０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７４】
また、映像表示装置１０を通信ネットワークと接続可能に構成しても、本発明の目的を達成できる。この場合、上記のプログラムコードを、通信ネットワークを介して映像表示装置１０に供給する。この通信ネットワークは映像表示装置１０にプログラムコードを供給できるものであればよく、特定の種類または形態に限定されない。例えばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７６】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７７】
本発明は、再生コンテンツに応じて映像処理する映像表示装置として幅広く利用できる。
【符号の説明】
【００７８】
１０      映像表示装置
１４      デジタルチューナー部（コンテンツ取得手段）
１９      映像処理部（映像処理手段）
２１      表示制御部（表示手段）
２２      液晶表示装置
３２      記録／再生部（記録再生手段）
３７      録画倍率入力部（録画倍率入力手段）
３９      録画倍率検出部（録画倍率検出手段）
４０      ビットレート検出部（ビットレート検出手段）
４１      映像信号処理部（映像信号処理手段）
４２      メディア検出部（記録メディア検出手段）
４３      ジャンル検出部（ジャンル検出手段）
【図１】
2011130365.tif 000003
【図２】
2011130365.tif 000004
【図３】
2011130365.tif 000005
【図４】
2011130365.tif 000006